(57)【要約】  移動通信装置用急速呼設定システム及び方法が開示される。移動体ターミナルは第１所定サイクル上でページングチャンネルをモニタリングし、ページングチャンネルはモニタリング用複数のスロットを含む。トラフィックチャンネルが解除順序の受信時に断絶された後（Ｓ１）、ネットワークは減少されたスロットサイクルパラメータを移動体ターミナルに提供する（Ｓ２）。移動体ターミナルは減少されたスロットサイクルを用いてページングチャンネルをモニタリングするためにこれらのパラメータを用いる。動作タイマーの満了時またはネットワークまたは移動体ターミナルの中の一つの介入を通じて減少されたスロットサイクルが終了し、通常スロットモードが復帰される。【選択図】 図８
2007527143.tif 000002
【特許請求の範囲】
【請求項１】
移動通信システムにおける急速呼設定方法において、
移動体ターミナルによるモニタリングのための複数のスロットを含む第１チャンネルを前記移動体ターミナルにより第１所定サイクル上でモニタリングするステップと、
前記移動体ターミナルとネットワークとの間で第２チャンネルを通じてデータを通信するステップと、
前記第２チャンネルの解除と関連し、移動体向けチャンネルを通じて伝送される第１メッセージを前記ネットワークに伝送するステップと、
前記ネットワークから前記第２チャンネルの解除に対応する第２メッセージを受信するステップとを含み、
前記第２メッセージは前記移動体ターミナルにより前記第１チャンネルをモニタリングする第２所定サイクルを決定するためのスロットサイクルパラメータを少なくとも含み、前記移動 ーミナルが前記第２チャンネルの解除後、前記第２所定サイクルを用いて前記第１チャンネルをモニタリングすること、
を特徴とする急速呼設定方法。
【請求項２】
前記第２所定サイクルは１６×２iであり、ｉは前記スロットサイクルパラメータに基づいて決定されたスロットサイクルインデックスを表すことを特徴とする請求項１に記載の急速呼設定方法。
【請求項３】
前記スロットサイクルインデックスは−４乃至７の間にあることを特徴とする請求項２に記載の急速呼設定方法。
【請求項４】
前記第２メッセージは前記移動体ターミナルにより使用される時間パラメータを含み、前記時間パラメータと関連した時間の満了の際、前記第２所定サイクルを用いて前記第１チャンネルのモニタリングを終了することを特徴とする請求項１に記載の急速呼設定方法。
【請求項５】
前記移動体ターミナルが前記第１所定サイクルによって前記第１チャンネルをモニタリングする前記時間パラメータと関連した時間の満了前に、通常スロットモードメッセージを前記ネットワークに送信するステップを更に含むことを特徴とする請求項４に記載の急速呼設定方法。
【請求項６】
前記移動体ターミナルが前記第１所定サイクルによって前記第１チャンネルをモニタリングする前記時間パラメータと関連した時間の満了前に、通常スロットモードメッセージを前記ネットワークに受信するステップを更に含むことを特徴とする請求項４に記載の急速呼設定方法。
【請求項７】
前記移動体ターミナルにより受信されたスロットサイクルパラメータは、解除後最小スロットサイクルインデックス及び解除後最大スロットサイクルインデックスを含み、
前記ｉはＭＡＸ[解除後最小スロットサイクルインデックス、ＭＩＮ（前記移動体ターミナルにより提供された好ましいスロットサイクルインデックス、解除後最大スロットサイクルインデックス）]により決定されることを特徴とする請求項２に記載の急速呼設定方法。
【請求項８】
前記移動体ターミナルにより受信されたスロットサイクルパラメータは、解除後スロットサイクルインデックスを含み、前記iはＭＡＸ[解除後スロットサイクルインデックス、最小スロットサイクルインデックス]により決定されることを特徴とする請求項２に記載の急速呼設定方法。
【請求項９】
前記移動体ターミナルにより受信されたスロットサイクルパラメータは、前記第２チャンネルが解除された後に使用するためのスロットサイクルインデックスを含み、前記移動体ターミナルはこれによって支援できる最小移動スロットサイクルインデックスを備え、前記ｉはＭＡＸ[解除後スロットサイクルインデックス、解除後最小移動スロットサイクルインデックス]により決定され、
前記方法は前記ネットワークにより前記第２所定サイクルを決定するために前記最小移動スロットサイクルインデックスを前記ネットワークに送信するステップを更に含むことを特徴とする請求項２に記載の急速呼設定方法。
【請求項１０】
前記移動体ターミナルが所定長さのスロットサイクルを支援できるかどうかに基づいて、前記スロットサイクルパラメータを決定することを特徴とする請求項１に記載の急速呼設定方法。
【請求項１１】
移動通信システムにおける急速呼設定方法において、
第１所定サイクルで移動体ターミナルによりモニタリングするための複数のスロットを含む第１チャンネル上において、前記移動体ターミナルに対するページング情報を送信するステップと、
前記移動体ターミナルとネットワークとの間で第２チャンネルを通じてデータを通信するステップと、
前記移動体ターミナルから前記第２チャンネルの解除に対応する第１メッセージを受信するステップと、
前記第２チャンネルの解除に対応する第２メッセージを前記移動体ターミナルに送信するステップとを含み、
前記第２メッセージは前記移動体ターミナルにより前記第１チャンネルをモニタリングする第２所定サイクルを決定するためのスロットサイクルパラメータを少なくとも含み、前記移動体ターミナルが前記第２チャンネルの解除後、前記第２所定サイクルを用いて前記第１チャンネルをモニタリングすること、
を特徴とする急速呼設定方法。
【請求項１２】
前記第２メッセージは前記移動体ターミナルにより使用される時間パラメータを含んで、前記時間パラメータと関連した時間の満了の際、前記第２所定サイクルを用いて前記第１チャンネルのモニタリングを終了することを特徴とする請求項１１に記載の急速呼設定方法。
【請求項１３】
前記移動体ターミナルが前記第１所定サイクルによって前記第１チャンネルをモニタリングするように前記時間パラメータと関連した時間の満了の以前に、通常スロットモードメッセージを前記移動体ターミナルから受信するステップを更に含むことを特徴とする請求項１２に記載の急速呼設定方法。
【請求項１４】
前記移動体ターミナルが前記第１所定サイクルによって前記第１チャンネルをモニタリングするように前記時間パラメータと関連した時間の満了の以前に、通常スロットモードメッセージを前記移動ネットワークに送信するステップを更に含むことを特徴とする請求項１２に記載の急速呼設定方法。
【請求項１５】
前記移動体ターミナルに伝送されたスロットサイクルパラメータは、解除後最小スロットサイクルインデックス及び解除後最大スロットサイクルインデックスを含み、
スロットサイクルインデックスはＭＡＸ[解除後最小ロットサイクルインデックス、ＭＩＮ（前記移動体ターミナルにより提供された好ましいスロットサイクルインデックス、解除後最大スロットサイクルインデックス）]により決定されること、
を特徴とする請求項１１に記載の急速呼設定方法。
【請求項１６】
前記移動体ターミナルに送信されたスロットサイクルパラメータは、解除後スロットサイクルインデックスを含み、スロットサイクルインデックスはＭＡＸ[解除後スロットサイクルインデックス、最小スロットサイクルインデックス]により決定されることを特徴とする請求項１１に記載の急速呼設定方法。
【請求項１７】
移動通信システムにおける急速呼設定方法において、
移動体ターミナルによるモニタリングのための複数のスロットを含む第１チャンネルを通じて第１所定サイクルのページング信号を送信するステップと、
前記移動体ターミナルとネットワークとの間で第２チャンネルを通じてデータを通信するステップと、
前記第２チャンネルの解除に対応する第１メッセージを移動指向チャンネルを通じて前記移動体ターミナルに送信するステップとを含み、
前記第１メッセージは前記移動体ターミナルにより前記第１チャンネルをモニタリングする第２所定サイクルを決定するためのスロットサイクルパラメータを少なくとも含んで、前記移動体ターミナルが前記第２チャンネルの解除後、前記第２所定サイクルを用いて前記第１チャンネルをモニタリングすること、
を特徴とする急速呼設定方法。
【請求項１８】
前記第２所定サイクルは１６×２iであり、ｉは前記スロットサイクルパラメータに基づいて決定されたスロットサイクルインデックスを表すことを特徴とする請求項１７に記載の急速呼設定方法。
【請求項１９】
前記スロットサイクルインデックスは−４乃至７間にあることを特徴とする請求項１８に記載の急速呼設定方法。
【請求項２０】
前記第１メッセージは前記移動体ターミナルにより使用される時間パラメータを含んで、前記時間パラメータと関連した時間の満了の際、前記第２所定サイクルを用いて前記第１チャンネルのモニタリングを終了することを特徴とする請求項１７に記載の急速呼設定方法。
【請求項２１】
前記移動体ターミナルが前記第１所定サイクルによって前記第１チャンネルをモニタリングする前記時間パラメータと関連した時間の満了前に、通常スロットモードメッセージを前記移動体ターミナルから受信するステップを更に含むことを特徴とする請求項２０に記載の急速呼設定方法。
【請求項２２】
前記移動体ターミナルが前記第１所定サイクルによって前記第１チャンネルをモニタリングする前記時間パラメータと関連した時間の満了前に、通常スロットモードメッセージを前記移動体ターミナルに送信するステップを更に含むことを特徴とする請求項２０に記載の急速呼設定方法。
【請求項２３】
前記移動体ターミナルに送信されたスロットサイクルパラメータは、解除後最小スロットサイクルインデックス及び解除後最大スロットサイクルインデックスを含み、
前記ｉはＭＡＸ[解除後最小スロットサイクルインデックス、ＭＩＮ（前記移動体ターミナルにより提供された好ましいスロットサイクルインデックス、解除後最大スロットサイクルインデックス）]により決定されること、
を特徴とする請求項１８に記載の急速呼設定方法。
【請求項２４】
前記移動体ターミナルに送信されたスロットサイクルパラメータは、解除後スロットサイクルインデックスを含み、前記ｉはＭＡＸ[解除後スロットサイクルインデックス、最小スロットサイクルインデックス]により決定されることを特徴とする請求項１８に記載の急速呼設定方法。
【請求項２５】
前記移動体ターミナルに送信されたスロットサイクルパラメータは、前記第２チャンネルが解除された後に使用するためのスロットサイクルインデックスを含み、前記移動体ターミナルはこれによって支援できる最小移動スロットサイクルインデックスを備え、前記ｉはＭＡＸ[解除後スロットサイクルインデックス、解除後最小移動スロットサイクルインデックス]により決定され、
前記方法は前記ネットワークにより前記第２所定サイクルを決定するために前記最小移動スロットサイクルインデックスを前記ネットワークに送信するステップを更に含むこと、
を特徴とする請求項１８に記載の急速呼設定方法。
【請求項２６】
移動通信システムにおける急速呼設定方法において、
移動体ターミナルによるモニタリングのための複数のスロットを含む第１チャンネルを通じて第１所定サイクルのページング信号を受信するステップと、
前記移動体ターミナルとネットワークとの間で第２チャンネルを通じてデータを通信するステップと、
前記第２チャンネルの解除に対応する第１メッセージを移動体向けチャンネルを通じて前記ネットワークから受信するステップとを含み、
前記第１メッセージは、前記移動体ターミナルにより前記第１チャンネルをモニタリングする第２所定サイクルを決定するためのスロットサイクルパラメータを少なくとも含み、前記移動体ターミナルが前記第２チャンネルの解除後、前記第２所定サイクルを用いて前記第１チャンネルをモニタリングすること、
を特徴とする急速呼設定方法。
【請求項２７】
前記第２所定サイクルは１６×２iであり、ｉは前記スロットサイクルパラメータに基づいて決定されたスロットサイクルインデックスを表すことを特徴とする請求項２６に記載の急速呼設定方法。
【請求項２８】
前記スロットサイクルインデックスは−４乃至７の間にあることを特徴とする請求項２７に記載の急速呼設定方法。
【請求項２９】
前記第１メッセージは前記移動体ターミナルにより使用される時間パラメータを含み、前記時間パラメータと関連した時間の満了の際、前記第２所定サイクルを用いて前記第１チャンネルのモニタリングを終了することを特徴とする請求項２６に記載の急速呼設定方法。
【請求項３０】
前記移動体ターミナルが前記第１所定サイクルによって前記第１チャンネルをモニタリングする前記時間パラメータと関連した時間の満了前に、通常スロットモードメッセージを前記移動体ターミナルから受信するステップを更に含むことを特徴とする請求項２９に記載の急速呼設定方法。
【請求項３１】
前記移動体ターミナルが前記第１所定サイクルによって前記第１チャンネルをモニタリングする前記時間パラメータと関連した時間の満了前に、通常スロットモードメッセージを前記ネットワークに送信するステップを更に含むことを特徴とする請求項２９に記載の急速呼設定方法。
【請求項３２】
移動通信システムにおける急速呼設定方法において、
移動体ターミナルによるモニタリングのための複数のスロットを含む第１チャンネルを前記移動体ターミナルにより第１所定サイクル上でモニタリングするステップと、
第１メッセージを移動体向けチャンネルを通じて前記ネットワークから受信するステップとを含み、
前記第１メッセージは前記移動体ターミナルにより前記第１チャンネルをモニタリングする第２所定サイクルを決定するためのスロットサイクルパラメータを少なくとも含み、前記移動体ターミナルが前記第２所定サイクルを用いて前記第１チャンネルをモニタリングすること、
を特徴とする急速呼設定方法。
【請求項３３】
前記第２所定サイクルは１６×２iであり、ｉは前記スロットサイクルパラメータに基づいて決定されたスロットサイクルインデックスを表すことを特徴とする請求項３２に記載の急速呼設定方法。
【請求項３４】
前記第１メッセージは、前記移動体ターミナルにより使用される時間パラメータを含み、前記時間パラメータと関連した時間の満了の際、前記第２所定サイクルを用いて前記第１チャンネルのモニタリングを終了することを特徴とする請求項３２に記載の急速呼設定方法。
【請求項３５】
移動通信システムにおける急速呼設定方法において、
移動体ターミナルによるモニタリングのための複数のスロットを含む第１チャンネルを前記移動体ターミナルにより第１所定サイクル上でモニタリングするステップと、
前記移動体ターミナルとネットワークとの間で第２チャンネルを通じてデータを通信するステップと、
複数の移動体ターミナルにより活用される総チャンネルを通じて伝送される第１メッセージを前記ネットワークから受信するステップとを含み、
前記第１メッセージは、前記移動体ターミナルにより前記第１チャンネルをモニタリングする第２所定サイクルを決定するためのスロットサイクルパラメータを少なくとも含み、前記移動体ターミナルが前記第２チャンネルの解除後、前記第２所定サイクルを用いて前記第１チャンネルをモニタリングすること、
を特徴とする急速呼設定方法。
【請求項３６】
前記第２所定サイクルは略１６×２iであり、ｉは前記スロットサイクルパラメータを用いることにより決定されたスロットサイクルインデックスを表すことを特徴とする請求項３５に記載の急速呼設定方法。
【請求項３７】
前記第２チャンネル解除の際、前記第２所定サイクルを用いて前記第１チャンネルをモニタリングするステップを更に含むことを特徴とする請求項３５に記載の急速呼設定方法。
【請求項３８】
前記第１チャンネルはページングチャンネル及び共通制御チャンネルのいずれか１つであり、前記第２チャンネルはトラフィックチャンネルであることを特徴とする請求項３５に記載の急速呼設定方法。
【請求項３９】
第１モニタリングサイクルによって第１チャンネルをモニタリングする移動体ターミナル用急速呼設定方法において、
前記移動体ターミナルとネットワークとの間で第２チャンネルを通じたデータトラフィックのための通信連結を構築するステップと、
前記ネットワークから解除順序に応答して前記通信連結を解除するステップと、
前記通信連結解除後、前記ネットワークにより指示される第２モニタリングサイクルによって前記第１チャンネルをモニタリングするステップと、
を含むことを特徴とする急速呼設定方法。
【請求項４０】
第１チャンネルは複数のスロットを含む時間サイクル内で時間スロットをモニタリングするためのページングチャンネルであることを特徴とする請求項３９に記載の急速呼設定方法。
【請求項４１】
前記解除順序は前記第２モニタリングサイクルが前記移動体ターミナルにより決定されるパラメータに基づいてモニタリングするサイクルを含むことを特徴とする請求項４０に記載の急速呼設定方法。
【請求項４２】
前記通信連結解除の前に総チャンネルを通じて複数の移動体ターミナルにブロードキャストされる総メッセージで前記ネットワークから前記第２モニタリングサイクルを表すサイクルモニタリングパラメータを受信するステップを更に含むことを特徴とする請求項４０に記載の急速呼設定方法。
【請求項４３】
前記通信連結解除の前に前記第１チャンネルを通じて前記移動体ターミナルにユニキャストされるメッセージで前記ネットワークから前記第２モニタリングサイクルを表すサイクルモニタリングパラメータを受信するステップを更に含むことを特徴とする請求項４０に記載の急速呼設定方法。
【請求項４４】
前記通信連結解除の前に前記第２チャンネルを通じて前記移動体ターミナルにユニキャストされるメッセージで前記ネットワークから前記第２モニタリングサイクルを表すサイクルモニタリングパラメータを受信するステップを更に含むことを特徴とする請求項４０に記載の急速呼設定方法。
【請求項４５】
前記通信連結構築の前に前記移動体ターミナルに送信されるメッセージで前記ネットワークから前記第２モニタリングサイクルを表すサイクルモニタリングパラメータを受信するステップを更に含むことを特徴とする請求項４０に記載の急速呼設定方法。
【請求項４６】
呼設定を促進させるためにネットワークと通信するための移動体ターミナルにおいて、
前記移動体ターミナルによるモニタリングのための複数のスロットを含む第１チャンネルを前記移動体ターミナルにより第１所定サイクル上でモニタリングする手段と、
前記移動体ターミナルとネットワークとの間で第２チャンネルを通じてデータを通信する手段と、
前記第２チャンネルの解除と関連して移動体向けチャンネルを通じて伝送される第１メッセージを前記ネットワークと通信する手段と、
前記ネットワークから前記第２チャンネルの解除に対応する第２メッセージを受信する手段とを含み、
前記第２メッセージは前記移動体ターミナルにより前記第１チャンネルをモニタリングする第２所定サイクルを決定するためのスロットサイクルパラメータを少なくとも含み、前記移動体ターミナルが前記第２チャンネルの解除後、前記第２所定サイクルを用いて前記第１チャンネルをモニタリングすること、
を特徴とする移動体ターミナル。
【請求項４７】
前記第２所定サイクルは１６×２iであり、ｉは前記スロットサイクルパラメータに基づいて決定されたスロットサイクルインデックスを表すことを特徴とする請求項４６に記載の移動体ターミナル。
【請求項４８】
前記第２メッセージは、前記移動体ターミナルにより使用される時間パラメータを含み、前記時間パラメータと関連した時間の満了の際、前記第２所定サイクルを用いて前記第１チャンネルのモニタリングを終了することを特徴とする請求項４６に記載の移動体ターミナル。
【請求項４９】
前記移動体ターミナルが前記第１所定サイクルによって前記第１チャンネルをモニタリングする前記時間パラメータと関連した時間の満了前に、通常スロットモードメッセージを前記ネットワークに送信する手段を更に含むことを特徴とする請求項４８に記載の移動体ターミナル。
【請求項５０】
前記移動体ターミナルが前記第１所定サイクルによって前記第１チャンネルをモニタリングする前記時間パラメータと関連した時間の満了前に、通常スロットモードメッセージを前記ネットワークから受信する手段を更に含むことを特徴とする請求項４８に記載の移動体ターミナル。
【請求項５１】
呼設定を促進するために移動体ターミナルと通信するためのネットワークにおいて、
前記移動体ターミナルによるモニタリングのための複数のスロットを含む第１チャンネルを通じて第１所定サイクルのページング信号を伝送する手段と、
前記移動体ターミナルとネットワークとの間で第２チャンネルを通じてデータを通信する手段と、
前記第２チャンネルの解除と関連する第１メッセージを移動体向けチャンネルを通じて前記移動体ターミナルと通信する手段とを含み、
前記第１メッセージは前記移動体ターミナルにより前記第１チャンネルをモニタリングする第２所定サイクルを決定するためのスロットサイクルパラメータを少なくとも含み、前記移動体ターミナルが前記第２チャンネルの解除後、前記第２所定サイクルを用いて前記第１チャンネルをモニタリングすること、
を特徴とするネットワーク。
【請求項５２】
前記第２所定サイクルは１６×２iであり、ｉは前記スロットサイクルパラメータに基づいて決定されたスロットサイクルインデックスを表すことを特徴とする請求項５１に記載のネットワーク。
【請求項５３】
前記第１メッセージは、前記移動体ターミナルにより使用される時間パラメータを含み、前記時間パラメータと関連した時間の満了の際、前記第２所定サイクルを用いて前記第１チャンネルのモニタリングを終了することを特徴とする請求項５１に記載のネットワーク。
【請求項５４】
前記移動体ターミナルが前記第１所定サイクルによって前記第１チャンネルをモニタリングする前記時間パラメータと関連した時間の満了前に、通常スロットモードメッセージを前記移動体ターミナルから受信する手段を更に含むことを特徴とする請求項５３に記載のネットワーク。
【請求項５５】
前記移動体ターミナルが前記第１所定サイクルによって前記第１チャンネルをモニタリングする前記時間パラメータと関連した時間の満了前に、通常スロットモードメッセージを前記移動体ターミナルに伝送する手段を更に含むことを特徴とする請求項５３に記載のネットワーク。
【発明の詳細な説明】
【技術分野】
【０００１】
本発明は、移動体通信システムに関し、特に移動体通信環境における呼設定システム及び方法に関する。
【背景技術】
【０００２】
本技術分野の熟練者はセルラー通信世界を１Ｇ、２Ｇ、３Ｇの用語でよく使用する。この用語は使われるセルラー技術の世代をいう。１Ｇは第１世代、２Ｇは第２世代、そして３Ｇは第３世代をいう。１Ｇは、ＡＭＰＳ（Advanced Mobile Phone Service）電話システムとして知られているアナログ電話システムに言及するのに使われる。２Ｇは、通常全世界に広く広まっているディジタルセルラーシステムに言及するのに使われて、ＣＤＭＡ、ＧＳＭ（Global System for Mobile communications）、ＴＤＭＡ（Time Division Multiple Access）を含む。２Ｇシステムは１Ｇシステムに比べて過密地域でより多くのユーザを支援することができる。３Ｇは、通常、現在開発中のディジタルセルラーシステムに言及するのに使われる。最近、第３世代（３Ｇ）ＣＤＭＡ通信システムは、例えばｃｄｍａ２０００やＷ−ＣＤＭＡのような提案を含みながら提示されている。これらの３Ｇ通信システムは、一部重大な差があるが、互いに概念的には類似している。
【０００３】
Ｃｄｍａ２０００システムは、インターネットやイントラネットアクセス、マルチメディアアプリケーション、高速ビジネストランザクション、テレメトリ（telemetry）のようなデータ処理能力を容易にするためのＣＤＭＡ技術の強化されたサービス潜在力を用いる第３世代（３Ｇ）広帯域スペクトラム拡散無線インターフェースシステムである。他の第３世代システムの例としてｃｄｍａ２０００の焦点は、ネットワークの経済性と、無線スペクトル利用可能性の限定された制限を克服するための無線伝送設計である。
【０００４】
図１は、無線通信ネットワーク１のアーキテクチャーを示す。
【０００５】
図１を参照すれば、加入者はネットワークサービスをアクセスするための移動体ターミナル２を利用している。移動体ターミナルはハンドヘルドセルラーホンのような携帯型通信ユニットや車両に設けられた通信ユニットであり、固定位置の通信ユニットをも含む。移動体ターミナルからの電磁波はロードＢに知られたＢＴＳ（Base Transceiver System）３により伝送される。 ＢＴＳ３は、例えば無線電波を伝送するためのアンテナ及び設備のような無線デバイスからなる。ＢＳＣ（Base Station Controller）４は一つ以上のＢＴＳからの伝送を受信する。ＢＳＣ４はメッセージを、ＢＴＳ３やＭＳＣ（Mobile Switching Center）５と交換し、または、内部ＩＰネットワーク１７と交換することにより、各ＢＴＳ３からの無線伝送を制御し、管理する。ＢＴＳ及びＢＳＣはＢＳ（Base Station）６の一部である。
【０００６】
ＢＳ６は、ＣＳＣＮ（Circuit Switched Core Network）７及びＰＳＣＮ（Packet Switched Core Network）８とメッセージを交換して、これらにデータを伝送する。ＣＳＣＮ７は伝統的な音声通信を提供し、ＰＳＣＮ８はインターネットアプリケーションやマルチメディアサービスを提供する。
【０００７】
ＣＳＣＮ７のＭＳＣ（Mobile Switching Center）５は移動体ターミナルからまたはそれへの伝統的な音声通信をスイッチングし、これらの能力を支援するための情報を格納する。 ＭＳＣ５は多数のＢＳの他に、例えばＰＳＴＮ（Public Switched Telephone Network）またはＩＳＤＮ（Integrated Service Digital Network）のような他の公用ネットワークの中の１つに連結されることができる。ＶＬＲ（Visitor Location Register）９は初代加入者に、または、これからの音声通信を扱うための情報を検索するのに使われる。ＶＬＲ９はＭＳＣ内にあってもよく、一つ以上のＭＳＣ５に作用する。
【０００８】
ユーザの身元は、例えば、ＥＳＮ（Electronic Serial Number）、ＭＤＲ（Mobile Directory Number）、プロファイル情報、現在位置、認証期間などの加入者情報の記録の目的のためにＣＳＣＮ７のＨＬＲ（Home Location Register）１０に割当てられる。ＡＣ（Authentication center）１１は移動体ターミナルに関する認証情報を管理する。ＡＣ１１はＨＬＲ１０内にあってもよく、一つ以上のＨＬＲ１０に作用することができる。ＳＣとＨＬＲ／ＡＣ間のインターフェースはＩＳ−４１標準インターフェースである。
【０００９】
ＰＳＣＮ８のＰＤＳＮ（Packet Data Serving Node）部１２は移動体ターミナルへの、また、これからのパケットデータトラフィック用ルーティングを提供する。ＰＤＳＮ１２は移動体ターミナルに対するリンク層セッションを構築し、維持し、終了し、一つ以上のＢＳ及び一つ以上のＰＳＣＮとインターフェースする。
【００１０】
ＡＡＡ（Authentication、Authorization and Accounting）サーバー１３は、パケットデータトラフィックに関するインターネットプロトコル認証、認可、会計機能を提供する。ＨＡ（Home Agent）１４はＭＳ ＩＰの登録を認証し、パケットデータがＰＤＳＮ１２のＦＡ（Foreign Agent）１５の構成要素に向かうようにし、ＡＡＡからユーザに対する臨時情報を受信する。ＨＡ１４は、また、ＰＤＳＮとの安全な通信を構築し、維持し、終了し、動的ＩＰアドレスを割当てる。ＰＤＳＮ１２は内部ＩＰネットワーク１７を経由してＡＡＡ１３、ＨＡ１４、インターネット１６と通信する。  
【００１１】
図２は、無線ネットワークに対するデータリンクプロトコルアーキテクチャー層を示す。
【００１２】
図２を参照すれば、上位層は３つの基本サービス、即ち音声サービス６２、データサービス６１、シグナルリング７０を含む。音声サービス６２はＰＳＴＮアクセス、移動体−移動体−音声サービス、インターネット電話を含む。データサービス６１は移動体最終ユーザの代りに任意の形態のデータを伝達するサービスであり、パケットデータアプリケーション（例えば、ＩＰサービス）、回路データアプリケーション（例えば、非同期式ファックス及びＢ−ＩＳＤＮエミュレーションサービス）、ＳＭＳを含む。シグナルリング７０は移動動作の全ての様相を制御する。
【００１３】
リンク層３０はＬＡＣ（Link Access Control）サブ層３２及びＭＡＣ（Medium Access Control）サブ層３１に分割される。リンク層はプロトコル支持体と、データ運送サービス用制御メカニズムを提供し、上位レベル６０のデータ運送要求を物理層２０の特定の能力と特性にマッピングするのに必要な機能を遂行する。リンク層３０は上位層と物理層２０との間のインターフェースと見ることができる。
【００１４】
ＭＡＣ３１とＬＡＣ３２のサブ層との間の分離は、広範囲な上位層サービスを支援する必要と、（１.２Ｋｂｐｓで２Ｍｂｐｓより大きい）広い性能範囲に亘って高効率で低い待ち時間データサービスを提供するためである。他の動機としては、回路やパケットデータサービスの高いＱｏＳ伝達、例えば受容可能な遅延及び／またはデータＢＥＲ（bit error rate）に対する制限を支援するための必要と、各々異なるＱｏＳ要件を有する向上したマルチメディアサービスに対する増加する需要である。
【００１５】
ＬＡＣサブ層３２はポイントツーポイント無線送信リンク４２を通じた信頼性ある順序的な伝達送信制御機能を提供するのに要求される。ＬＡＣサブ層は上位層エンティティー同士間のポイントツーポイント通信チャンネルを管理し、広範囲な他の端末間の信頼性あるリンク層プロトコルを支援するためのフレームワークを提供する。ＭＡＣサブ層３１はそれぞれの活性サービスに対するＱｏＳ（Quality of Service）管理能力を備えた３Ｇ無線システムの複雑なマルチメディア、マルチーサービス能力を容易にする。ＭＡＣサブ層３１はデータサービス（パケット及び回路）のアクセスを制御するための手順を物理層２０に与える。これは単一ユーザからの多数のサービス間だけでなく、無線システム内の競合するユーザ同士間でコンテンション制御を含む。ＭＡＣサブ層３１はまた、信頼性のベストエフォートレベル用ＲＬＰ（Radio Link Protocol）３３を用いる無線リンク層を通じて信頼できる伝送を提供する。ＳＲＢＰ（Signaling Radio Burst Protocol）３５はメッセージをシグナルリングするための無接続プロトコルを提供するエンティティーである。マルチプレキシングとＱｏＳ（Quality of Service）制御３４は、競合サービスからのコンフリクトする要求とアクセス要求の適切な優先順位とを仲裁することによってＱｏＳレベルの強化を図る。
【００１６】
物理層２０は大気を通じて伝送されるデータをコーディングし、変調する。物理層２０は上位層からのディジタルデータを調節して、データが移動体無線チャンネルを通じた伝送に信頼性を持たせる。
【００１７】
物理層２０は多数の伝送チャンネルを通じてＭＡＣサブ層３１により伝えられるユーザデータとシグナルリングを物理チャンネルにマップし、無線インターフェースを通じて情報を伝送する。伝送方向では、物理層２０により遂行される機能は、チャンネルコーディング、インターリービング、スクランブリング、拡散、変調を含む。受信方向では、前記機能は受信器から伝送されたデータを復旧するために反転される。
【００１８】
一般に、移動体ターミナルは同期チャンネルを通じてトラフィックデータを通信する。移動体ターミナルは入ってくる呼のためにオーバーヘッドメッセージ及びページングメッセージを制御チャンネルを通じて受信する。移動体ターミナルはその後に受信したページに適切な応答を対応する通信ネットワークに伝送する。
【００１９】
基地局は、共通チャンネル、例えばＦ−ＰＣＨ（forward paging channel）、 Ｆ−ＢＣＣＨ（forward broadcast control channel）、Ｆ−ＣＣＣＨ（forward common control channel）上でオーバーヘッドメッセージまたはページを伝送する。オーバーヘッドメッセージはＦ−ＰＣＨまたはＦ−ＢＣＣＨ上で伝送され、ページングはＦ−ＰＣＨまたはＦ−ＣＣＣＨ上で伝送される。
【００２０】
移動体ターミナルは、ターンオンの際、オーバーヘッドメッセージを受信するために全てのスロットをモニタリングする。オーバーヘッドメッセージを受信した後、移動体ターミナルは２種類のモードによってページを受信することができる。
【００２１】
第１モードは非スロット（non-slotted）モードである。非スロットモードにおいて、移動体ターミナルはページを受信するために全てのスロットをモニタリングする。第２モードはスロットモードである。スロットモードにおいては、移動体ターミナルは対応するスロットをモニタリングし、ページを受信するために所定のスロットでターンオンされる。移動体ターミナルは電力消費を減少させるために他のスロットではターンオフされる。
【００２２】
移動体ターミナルが非スロットまたはスロットモードで動作するかどうかは、移動体ターミナルで設定されたＳＣＭ（station class mask）による。一般に、移動体ターミナルはページング受信の提供の際、所定のスロットに先立って１スロットをターンオンする。その理由は、通常に動作するハードウェアの提供がページングを受信するのに要求されるためである。
【００２３】
移動体ターミナルがスロットモードで動作する際（即ち、移動体ターミナルが対応するページングスロットをモニタリングするために特定スロットでページを受信する際）、次の２つの状況が起こることがある。第１に、ページングスロットサイクルの値が増加すれば、移動体ターミナルがターンオンしている時間は減少する。これは電力消耗を減少させるが、移動体ターミナルがページを受信する時間が延び、呼設定が遅れる。第２に、ページングスロットサイクルの値が減少すると、移動体ターミナルがターンオンしている時間が延長びる。これは移動体ターミナルの電力消費を増加させる。しかしながら、呼を設定するのにかかる時間が短くなるので、移動体ターミナルがページングを受信する時間は減少する。
【００２４】
基地局は最小スロットサイクルインデックス（MIN_SLOT_CYCLE_INDEX）及び最大スロットサイクルインデックス（MAX_SLOT_CYCLE_INDEX）の値を設定する。これによって、対応する基地局のサービスドメイン内の全てのターミナルは最小スロットサイクルインデックス（MIN_SLOT_CYCLE_INDEX）及び最大スロットサイクルインデックス（MAX_SLOT_CYCLE_INDEX）の値を用いてページングスロットサイクル値を決定する。
【００２５】
スロットモードにおいて、移動体ターミナルはそれぞれの予め決定されたサイクル毎にターンオンされる。このようなサイクルはページングスロットサイクルと呼ばれる。また、対応するページングスロットサイクル間、移動体ターミナルによりモニタリングされた対応するスロットはページングスロット（PGSLOT）と呼ばれる。
【００２６】
ページングスロットは、次の数式１により決定される。
【００２７】
数式１  Ｃ=１６×２i、−４≦ｉ≦７
【００２８】
数式１において、‘ｉ’は選択されたスロットサイクルインデックス（SLOT_CYCLE_INDEXS）である。選択されたスロットサイクルインデックス（SLOT_CYCLE_INDEXS）は３つのパラメータ、例えば好ましいスロットサイクルインデックス（SLOT_CYCLE_INDEXP）、最大スロットサイクルインデックス（MAX_SLOT_CYCLE_INDEXS）、最小スロットサイクルインデックス（MIN_SLOT_CYCLE_INDEXS）を用いて数式２により決定される。  
【００２９】
数式２  SLOT_CYCLE_INDEXS=MAX(MIN_SLOT_CYCLE_INDEXS、MIN(SLOT_CYCLE_ INDEXP、MAX_SLOT_CYCLE_INDEXS))
【００３０】
好ましいスロットサイクルインデックス（SLOT_CYCLE_INDEXP）は移動体ターミナル内に格納された値であり、−４乃至７の好ましい値を有する。好ましいスロットサイクルインデックス（SLOT_CYCLE_INDEXP）の値はＲＧＭ（registration message）、ＯＲＭ（origination message）、ＰＲＭ（page response message）、または、ターミナル情報メッセージの中の１つまたは２つのフィールド（SLOT_CYCLE_INDEX、SIGN_SLOT_CYCLE_INDEX）を通じて基地局に伝送される。
【００３１】
最小スロットサイクルインデックス（MIN_SLOT_CYCLE_INDEXS）は−４乃至０の好ましい値を有する。最大スロットサイクルインデックス（MAX_SLOT_CYCLE_INDEXS）は０乃至７の好ましい値を有する。最大スロットサイクルインデックス（MAX_SLOT_CYCLE_INDEXS）の値はＳＰＭ（system parameters message）、または、ＭＣＲＲＰＭ（MC−RR parameter message）を通じてベースターミナルから移動体ターミナルに伝送される。
【００３２】
ＰＧＳＬＯＴ（paging slot）は移動体ターミナルの電話番号を利用するハッシングにより決定される。一つの対応する値は０乃至（Ｃ−１）からなるグループから選択される。ここで、‘Ｃ’は数式１により計算されたページングサイクルの値である。図３は好ましいスロットサイクルインデックス（SLOT_CYCLE_INDEXP）、最大スロットサイクルインデックス（MAX_SLOT_CYCLE_INDEXS）、最小スロットサイクルインデックス（MIN_SLOT_CYCLE_INDEXS）、ＰＧＳＬＯＴ（paging slot）が各々２、−１、３、６である場合を図示する。
【００３３】
数式２に基づいて、選択されたスロットサイクルインデックス（SLOT_CYCLE_INDEXs）は‘２’である。即ち、選択されたスロットサイクルインデックス（SLOT_CYCLE_INDEXs）は‘２’のような最大[−１、最小（２、３）]である。さらに、数式１に基づいて、ページングスロットサイクルは１６×２2（即ち、計算されたスロットサイクルインデックス（SLOT_CYCLE_INDEXs）の値‘２’をｉを適用することにより‘６４’）となる。
【００３４】
スロット番号は０から２０４７に繰り返される。その結果、図３に示されたように、ページングスロットサイクルが６４であり、ページングスロット（PGSLOT）が６であるので、移動体ターミナルはスロット番号６、 ７０、１３４、１９８を順次モニタリングする。
【００３５】
前述した関連技術において、解除されたデータ呼を以前に持っていた移動体ターミナルが引き続いて呼アクセスを試みれば、移動体ターミナルは全体サイクルの持続時間の間待機しなければならない。呼アクセスに対するページングを受信するために時間遅延を減少させるように特定の移動体ターミナルに対する個別パラメータ値を設定する必要がある。これは解除された呼を設定した移動体ターミナルは呼を再度設定する可能性が非常に高いためである。
【００３６】
現在、同一基地局と通信する全てのターミナルは最大スロットサイクルインデックス（MAX_SLOT_CYCLE_INDEXS）及び最小スロットサイクルインデックス（MIN_SLOT_CYCLE_INDEXS）の同一の値を利用する。その結果、特定の移動体ターミナルが基地局との呼連結を設定しようとする際、基地局からページを受信するのにかかる時間は遅れる。したがって、急速呼設定方法及びシステムが要求される。
【００３７】
最近に呼が解除された移動体ターミナルが呼を再度設定する可能性は、他の移動ターミナルが新しい呼を設定するの場合と比較して可能性が非常に高い。言い換えると、呼を連結するためのページは最近に呼が解除された移動体ターミナルに伝送される可能性がより高くなる。
【発明の開示】
【発明が解決しようとする課題】
【００３８】
したがって、本発明の一目的は、最近に呼が解除された移動体ターミナルが呼解除後に短くなった、または、減少されたスロットサイクル内でページをモニタリングするように構成されるようにする通信システムを提供することにある。
【００３９】
本発明の付加的な特徴及び利点は、次の説明から開示され、部分的にこの説明で明らかであり、または発明の教示から学習されるはずである。本発明の目的及び利点は開示された詳細な説明及び特許請求範囲と、添付された図面に特に開示された構造により実現され獲得される。
【課題を解決するための手段】
【００４０】
本発明のこのような利点を達成するために、本発明の目的によれば、移動通信システム内の急速呼設定方法は、移動体ターミナルによる第１の所定サイクル上において、移動体ターミナルによるモニタリングのための複数のスロットを含む第１チャンネル、例えばページングチャンネルまたは共通制御チャンネルをモニタリングするステップと、トラフィックチャンネルのような第２チャンネルを通じてネットワークと移動体ターミナルとの間にデータを通信するステップと、移動体向けチャンネルを通じて伝送される第１メッセージをネットワークに（または、ネットワークから）伝送するステップであって、第１チャンネルは第２チャンネルの解除と関連する伝送ステップと、第２チャンネルの解除に対応する第２メッセージをネットワークから受信するステップとを含み、第２メッセージが、移動体ターミナルによる第１チャンネルをモニタリングするための第２の所定サイクルを決定するためのスロットサイクルパラメータを少なくとも含み、移動体ターミナルが第２チャンネルの解除後、第２の所定サイクルを用いて第１チャンネルをモニタリングする。好ましくは、スロットサイクルパラメータは移動体ターミナルが所定長さのスロットサイクルを支援できるかどうかに基づいて決定される。本発明の一様相によれば、第２の所定サイクルは、好ましくは１６×２iであり、ここで、ｉはスロットサイクルパラメータに基づいて決定されたスロットサイクルインデックスを表す。好ましくは、スロットサイクルインデックスは−４乃至７である。
【００４１】
本発明の他の態様によれば、第２メッセージは、時間パラメータと関連した時間の満了の際、第２の所定サイクルを用いて第１チャンネルのモニタリングを終了するために移動体ターミナルにより使用される時間パラメータを含む。
【００４２】
本発明のさらに他の態様によれば、急速呼設定方法は、移動体ターミナルが第１の所定サイクルによって第１チャンネルをモニタリングできるように時間パラメータと関連した時間の満了の以前に通常のスロットモードメッセージを移動体ターミナルがネットワークに伝送するステップを更に含む。代替的に、第１の所定サイクルにしたがって第１チャンネルを移動体ターミナルがモニタリングする時間パラメータに関連した時間の満了の以前に、移動ターミナルがネットワークから通常のスロットモードメッセージを受信する。
【００４３】
本発明の一態様によれば、移動体ターミナルにより受信されたスロットサイクルパラメータは、解除後最小スロットサイクルインデックスと解除後最大スロットサイクルインデックスを含み、ｉは（ＭＡＸ；解除後最小スロットサイクルインデックス（after-release minimum slot cycle index）、ＭＩＮ（移動体ターミナルにより提供された好ましいスロットサイクルインデックス、解除後最大スロットサイクルインデックス））により決定される。代替的に、移動体ターミナルにより受信されたスロットサイクルパラメータは解除後スロットサイクルインデックスを含み、ｉはＭＡＸ（解除後スロットサイクルインデックス、最小移動スロットサイクルインデックス）により決定される。  
【００４４】
本発明の一態様によれば、移動体ターミナルにより受信されたスロットサイクルパラメータは第２チャンネルが解除された後に使用するためのスロットサイクルインデックスを含み、移動体ターミナルはこれにより支援できる最小移動スロットサイクルインデックスを備え、ｉはＭＡＸ（解除後スロットサイクルインデックス、最小移動スロットサイクルインデックス）により決定され、本方法はネットワークにより第２の所定サイクルを決定するために最小移動スロットサイクルインデックスをネットワークに伝送するステップを更に含む。
【００４５】
本発明の他の実施態様によれば、急速呼設定方法は、第１の所定サイクルにおいて移動体ターミナルによるモニタリングのための複数のスロットを含む第１チャンネル上で移動体ターミナル用ページング情報を伝送するステップと、第２チャンネルを通じてネットワークと移動体ターミナルとの間にデータを通信するステップと、第２チャンネルの解除と関連した第１メッセージを移動体ターミナルから受信する（または、移動体ターミナルに伝送する）ステップと、第２チャンネルを解除に対応する第２メッセージを移動体ターミナルに伝送するステップとを含み、第２メッセージは移動体ターミナルによる第１チャンネルをモニタリングするための第２の所定サイクルを決定するためのスロットサイクルパラメータを少なくとも含み、移動体ターミナルが第２チャンネルの解除後、第２の所定サイクルを用いて第１チャンネルをモニタリングする。
【００４６】
本発明の一態様によれば、第２メッセージは時間パラメータと関連した時間の満了の際、第２の所定サイクルを用いて第１チャンネルのモニタリングを終了するために移動体ターミナルにより使用される時間パラメータを含む。
【００４７】
本発明の他の態様によれば、急速呼設定方法は、移動体ターミナルが第１の所定サイクルによって第１チャンネルをモニタリングできる時間パラメータと関連した時間の満了の以前に、移動体ターミナルから通常のスロットモードメッセージをネットワークが受信するステップを更に含む。代替的に、ネットワークは第１の所定サイクルによって移動体ターミナルが第１チャンネルをモニタリングできる時間パラメータと関連した時間の満了の以前に、通常のスロットモードメッセージを移動体ターミナルに伝送する。
【００４８】
本発明のさらに他の実施態様によれば、移動体ターミナルのアイドル状態の間、急速呼設定方法は、移動体ターミナルによりモニタリングされた複数のスロットを含む第１チャンネル、例えばページングチャンネルを移動体ターミナルにより第１の所定サイクル上でモニタリングするステップと、移動体向けチャンネルを通じて第１メッセージをネットワークから受信するステップとを含み、第１メッセージは移動体ターミナルによる第１チャンネルのモニタリングのために第２の所定サイクルを決定するためのスロットサイクルパラメータを少なくとも含み、移動体ターミナルが第２の所定サイクルを用いて第１チャンネルをモニタリングする。スロットサイクルパラメータは前述した。
【００４９】
本発明の一態様によれば、第２の所定サイクルは略１６×２iであり、ｉはスロットサイクルインデックスを利用することにより決定されたスロットサイクルインデックスを表す。また、第１メッセージは時間パラメータと関連した時間の満了の際、第２の所定サイクルを用いて第１チャンネルのモニタリングを終了するために移動体ターミナルが使用する時間パラメータを含む。
【００５０】
本発明のさらに他の実施態様によれば、呼設定を推進するためにネットワークと通信する移動体ターミナルは、移動体ターミナルによるモニタリングのための複数のスロットを含む第１チャンネルを、移動体ターミナルにより第１の所定サイクル上でモニタリングする手段と、第２チャンネルを通じてネットワークと移動体ターミナルとの間にデータを通信する手段と、第２チャンネルの解除と関連し、移動体向けチャンネルを通じて伝送される第１メッセージをネットワークと通信する手段と、第２チャンネルの解除に対応する第２メッセージをネットワークから受信する手段とを含み、第２メッセージは移動体ターミナルによる第１チャンネルのモニタリングのための第２の所定サイクルを決定するためのスロットサイクルパラメータを少なくとも含み、移動体ターミナルが第２チャンネルの解除後、第２の所定サイクルを用いて第１チャンネルをモニタリングする。
【００５１】
本発明のさらに他の実施態様によれば、呼設定を推進するために移動ネットワークと通信するネットワークは、移動体ターミナルによるモニタリングのための複数のスロットを含む第１チャンネルを通じて第１の所定サイクルのページング信号を伝送する手段と、第２チャンネルを通じてネットワークと移動体ターミナルとの間にデータを通信する手段と、第２チャンネルの解除に対応する第１メッセージを移動体向けチャンネルを通じて移動体ターミナルと通信する手段と、第２チャンネルの解除に対応する第１メッセージを 移動体向けチャンネルを通じて移動体ターミナルと通信する手段を含み、第１メッセージは移動体ターミナルによる第１チャンネルのモニタリングのための第２の所定サイクルを決定するためのスロットサイクルパラメータを少なくとも含み、移動体ターミナルが第２チャンネルの解除後、第２の所定サイクルを用いて第１チャンネルをモニタリングする。
【００５２】
ロジック実装具現は特定の順序で起きる特定動作を記述する。代替的な実装において、任意のロジック動作は他の順序で遂行されても、本発明の好ましい実施態様を引続き実現する。更に、ステップは前述したロジックに付加されることができ、本発明の具現に引続き対応する。
【発明を実施するための最良の形態】
【００５３】
本発明の説明を助けるために、任意の例示的なパラメータ名、値、長さ、その他の属性は、移動局と基地局との間に通信されるチャンネル、メッセージ、固定または可変識別子を記述するのに使われる。このようなパラメータ名が単に例示的であり、異なる名前が同一または類似の機能を記述するのに使われることができることに留意しなければならない。
【００５４】
これを達成するために、基地局は最小スロットサイクルインデックス（MIN_SLOT_CYCLE_INDEX）と最大スロットサイクルインデックス（MAX_SLOT_CYCLE_INDEX）を伝送し、かつ呼が解除された後のページングスロットサイクル（以下では、‘解除後ページングスロットサイクル（paging_slot_cycle_release）’と命名される）を移動体ターミナルが決定するためのパラメータを伝送する。基地局は解除後最小スロットサイクルインデックス（MIN_SLOT_CYCLE_INDEX_RELEASE）と解除後最大スロットサイクルインデックス（MAX_SLOT_CYCLE_INDEX_RELEASE）を移動体ターミナルに伝送して、対応する移動体ターミナルが前述したパラメータに基づいた解除後ページングスロットサイクル（paging_slot_cycle_relaease）を決定する。
【００５５】
基地局は、移動体ターミナルがページングスロットのモニタリングサイクルを調節できるように前述したリストのパラメータを設定する。基地局は、その後、パラメータを対応する移動体ターミナルに伝送する。一実施形態において、基地局は解除後サイクルインデックス（SLOT_CYCLE_INDEX_RELEASE）を移動体ターミナルに更に伝送する。解除後サイクルインデックス（SLOT_CYCLE_INDEX_RELEASE）は解除順序（ＲＯ）（例えば、移動体ターミナルの呼解除時に使われるメッセージ）、強化された解除順序（ＥＲＯ）、拡張された解除メッセージ（ＥＲＭ）、または、拡張された解除ミニメッセージ（ＥＲＭＭ）を通じて移動体ターミナルに伝送される。
【００５６】
他の実施形態において、移動体ターミナルは現在移動体ターミナル自体を支援できる最小スロットサイクル長さを通知するための新しいパラメータを更に伝送する。移動体ターミナルの最小スロットサイクルインデックス（MIN_SLOT_CYCLE_INDEX_MS）は、解除順序（ＲＯ）、拡張された解除ミニメッセージ（ＥＲＭＭ）、拡張された解除応答ミニメッセージ（ＥＲＲＭＭ）の中の１つを通じて基地局に伝送される。
【００５７】
解除後ページングスロットサイクル（paging_slot_cycle_release）は前記パラメータ値に基づいて決定される。したがって、基地局はそのサービスドメイン内の移動体ターミナルの状況だけでなく、移動体ターミナルのページングスロットのモニタリングサイクルに対する現在システム状況を考慮する。
【００５８】
一実施形態において、移動体ターミナルはその状況によるページングスロットのモニタリング能力を基地局に提供する。基地局はさらに、ページングスロットモニタリングサイクルを決定するために移動体ターミナルの現在の能力を考慮する。一実施形態において、ページングスロットモニタリングサイクルは、解除された呼に対する前のページングスロットモニタリングサイクルより短い。
【００５９】
本発明の一実施形態において、解除後ページングスロットサイクル（paging_slot_cycle_release）は、以下、数式３により決定される。解除後ページングスロットサイクル（paging_slot_cycle_release）はデータ呼を解除する移動体ターミナルにより使用されるページングスロットモニタリングサイクルである。
【００６０】
数式３  ＣR=１６×２i、−４≦ ｉ ≦７
【００６１】
数式３において、‘ｉ’は呼解除後に選択されたスロットサイクルインデックス（以下では、‘解除後選択スロットサイクルインデックス（SLOT_CYCLE_INDEX_RELEASEs）’と命名される）である。
【００６２】
解除後選択スロットサイクルインデックス（SLOT_CYCLE_INDEX_RELEASEs）は３つのパラメータ、例えば好ましいスロットサイクルインデックス（SLOT_CYCLE_INDEXp）、解除後最大スロットサイクルインデックス（MAX_SLOT_CYCLE_INDEX_RELEASEs）、解除後最小スロットサイクルインデックス（MIN_SLOT_CYCLE_INDEX_RELEASEs）を用いて以下の数式４により決定される。
【００６３】
数式４
SLOT_CYCLE_INDEX_RELEASEs =
Max[MIN_SLOT_CYCLE_INDEX_RELEASEs、
Min（SLOT_CYCLE_INDEXp、MAX_SLOT_CYCLE_INDEX_RELEASEs）]
【００６４】
一実施形態において、解除後ページングスロットサイクル（paging_slot_cycle_release）が呼解除後に連続して短くなれば、移動体ターミナルの電力消費は増加する。解除後ページングスロットサイクル（paging_slot_cycle_release）に対する動作時間と関連した制限は、新しいパラメータ解除後最大スロットサイクルインデックス（MAX_SLOT_CYCLE_INDEX_RELEASEs）及び解除後最小スロットサイクルインデックス（MIN_SLOT_CYCLE_INDEX_RELEASEs）に基づいて生じる。
【００６５】
代替的に、解除後選択スロットサイクルインデックス（SLOT_CYCLE_INDEX_RELEASE）は、解除後スロットサイクルインデックス（SLOT_CYCLE_INDEX_RELEASE）と格納された移動体ターミナル最小スロットサイクル（MIN_SLOT_CYCLE_INDEX_MS）に対する２種類のパラメータを用いて数式４により決定される。移動体ターミナル最小スロットサイクル（MIN_SLOT_CYCLE_INDEX_MS）は移動体ターミナルが現在支援できる最小スロットサイクルの長さである。
【００６６】
解除後ページングスロットサイクル（paging_slot_cycle_release）を計算するために、基地局は移動体ターミナルからの移動体ターミナル最小スロットサイクル（MIN_SLOT_CYCLE_INDEX_MS）と基地局内の解除後スロットサイクルインデックス（SLOT_CYCLE_INDEX_RELEASE）を利用する。
【００６７】
他の実施形態において、解除後ページングスロットサイクル（paging_slot_cycle_release）を計算する場合、移動体ターミナルは数式５によって、基地局から受信された解除後スロットサイクルインデックス（SLOT_CYCLE_INDEX_RELEASE）と、移動体ターミナルにより格納された移動体ターミナル最小スロットサイクル（MIN_SLOT_CYCLE_INDEX_MS）を利用する。
【００６８】
数式５
SLOT_CYCLE_INDEX_RELEASE =
MAX[SLOT_CYCLE_INDEX_RELEASE、MIN（SLOT_CYCLE_INDEX_MS）]
【００６９】
解除後ページングスロットサイクル（paging_slot_cycle_release）が呼解除後に連続して短くなれば、移動体ターミナルの電力消費は増加する。しかしながら、解除後ページングスロットサイクル（paging_slot_cycle_release）を利用する動作時間と関連した制限がある。
【００７０】
一実施形態において、基地局は解除後ページングスロットサイクル（paging_slot_cycle_release）を用いて動作時間に対する制限を置くための解除後動作時間情報（SLOT_CYCLE_RELEASE_TIMER）を移動体ターミナルに更に伝送する。解除後動作時間情報（SLOT_CYCLE_RELEASE_TIMER）は、例えば解除順序（ＲＯ）、強化された解除順序（ＥＲＯ）、拡張された解除メッセージ（ＥＲＭ）、または拡張された解除ミニメッセージ（ＥＲＭＭ）のうち、いずれか一つを通じて移動体ターミナルに伝送される。
【００７１】
解除後動作時間情報（SLOT_CYCLE_RELEASE_TIMER）の受信の際、移動体ターミナルは、動作タイマーが呼解除後に満了する時まで短くなったページングスロットサイクル、即ち解除後ページングスロットサイクル（paging_slot_cycle_release）を利用する。移動体ターミナルは、その後、最小スロットサイクルインデックス（MIN_SLOT_CYCLE_INDEX）の値と、動作タイマーが満了した後の最大スロットサイクルインデックス（MAX_SLOT_CYCLE_NDEX）を用いて決定されたデフォルトページングスロットサイクルを利用する。デフォルトページングスロットサイクルは、例えば以前に駆逐された呼で使われるサイクルである。
【００７２】
一実施形態において、移動体ターミナルは解除後動作時間情報（SLOT_CYCLE_RELEASE_TIMER）を用いて以下の数式６により動作タイマー値を決定する。
【００７３】
数式６  TIMER+16×2i、i= SLOT_CYCLE_RELEASE_TIMER
【００７４】
解除後動作時間情報（SLOT_CYCLE_RELEASE_TIMER）の値を決定する際、基地局は解除後最大スロットサイクルインデックス（MAX_SLOT_CYCLE_INDEX_RELEASE）より大きい対応する情報値を設定する。
【００７５】
一実施形態において、解除後動作時間情報（SLOT_CYCLE_RELEASE_TIMER）の値が‘０’であれば、動作タイマーは∞（無限大）に設定される。このような場合に、移動体ターミナルは、ページングスロットをモニタリングするために呼解除後のサイクルとして、解除後ページングスロットサイクル（paging_slot_cycle_release）の使用を維持する。
【００７６】
次の説明は新しいパラメータ（MIN_SLOT_CYCLE_INDEX_RELEASE、MAX_SLOT_CYCLE_NDEX_RELEASE）と、呼解除後に、解除後ページングスロットサイクル（paging_slot_cycle_elease）を決定する際に使われる解除後動作時間情報（SLOT_CYCLE_RELEASE_TIMER）とを移動体ターミナルに伝送する例である。
【００７７】
基地局は、好ましくは、呼解除後、解除後ページングスロットサイクル（paging_slot_cycle_elease）を決定する際に使われるパラメータ（MIN_SLOT_CYCLE_INDEX_RELEASE、MAX_SLOT_CYCLE_INDEX_RELEASE、SLOT_CYCLE_RELEASE_TIMER）を、例えばシステムパラメータ（ＳＰＭ）、ＭＣ−ＲＲパラメータメッセージ（ＭＣＲＲＰＭ）またはイントラフィック（in-traffic）システムパラメータメッセージ（ＩＴＳＰＭ）のいずれか１つを通じて移動体ターミナルに伝送する。
【００７８】
移動体ターミナルはパラメータを受信し、格納する。呼解除後、移動体ターミナルは格納されたパラメータを用いて解除後ページングスロットサイクル（paging_slot_cycle_release）を決定する。移動体ターミナルは、解除後動作時間情報（SLOT_CYCLE_RELEASE_TIMER）により決定された動作タイマーが満了するまで、決定された解除後ページングスロットサイクル（paging_slot_cycle_release）を一サイクルとしてページングスロットをモニタリングする。
【００７９】
図４を参照すれば、解除後最大スロットサイクルインデックス（MAX_SLOT_CYCLE_INDEX_ELEASE）と解除後最小スロットサイクルインデックス（MIN_SLOT_CYCLE_INDEX_ELEASE）の各々に対して３ビットを使用するのが好ましく、解除後動作時間情報（SLOT_YCLE_ELEASE_TIMER）に対しては８ビットが使われる。
【００８０】
このように、基地局は解除後ページングスロットサイクルを決定する際に使われるパラメータを移動体ターミナルに伝送する。移動体ターミナルはパラメータを受信し、格納して、受信されたパラメータに基づいて解除後ページングスロットサイクルを決定する。移動体ターミナルは解除後動作時間情報により決定された動作タイマーが満了する時まで、一サイクルとして、決定された解除後ページングスロットサイクルによりページングスロットをモニタリングする。
【００８１】
移動体ターミナルは基地局からページングを受信するためにページングスロットをモニタリングする。一実施形態において、ＲＯ、ＥＲＯ、ＥＲＭ、ＥＲＭＭ用各メッセージは、例えば図４に図示されたようなフォーマットを有する。以下では急速呼設定のために、解除後ページングスロットサイクルを決定するための例示的なプロセスが説明される。
【００８２】
好ましいスロットサイクルインデックス（SLOT_CYCLE_INDEXp）、最小スロットサイクルインデックス（MIN_SLOT_CYCLE_INDEXs）、最大スロットサイクルインデックス（MAX_SLOT_CYCLE_INDEXs）、解除後最小スロットサイクルインデックス（MIN_SLOT_CYCLE_INDEX_RELEASEs）、解除後最大スロットサイクルインデックス（MAX_SLOT_CYCLE_INDEX_RELEASEs）の値が各々３、−１、２、−１、１である場合、移動体ターミナルの呼が連結される前に使われたデフォルトのページングスロットサイクルを決定するのに使われた選択されたスロットサイクルインデックス（SLOT_CYCLE_INDEXs）は、例えば数式２にそれぞれの値３、−１、２を挿入することにより、最大[−１、最小（２、３）]に基づいて‘２’となる。
【００８３】
通常のスロットモード下において、ページングスロットサイクルは計算されたスロットサイクルインデックス（SLOT_CYCLE_INDEXs）の値‘２’を数式１の‘ｉ’に適用することにより１６×２2、即ち‘６４’となる。
【００８４】
減少されたスロットモード下において、連結された呼が解除された後に使われた、解除後ページングスロットサイクル（paging_slot_cycle_release）を決定する際に使われる解除後選択スロットサイクルインデックス（SLOT_CYCLE_INDEX_RELEASEs）は、数式４に、例えば好ましいスロットサイクルインデックス（SLOT_CYCLE_INDEXp）、解除後最小スロットサイクルインデックス（MIN_SLOT_CYCLE_INDEX_RELEASEs）、解除後最大スロットサイクルインデックス（MAX_SLOT_CYCLE_INDEX_RELEASEs）の各値を挿入することにより最大[−１、最小（３、１）]となる。
【００８５】
例えば、ページングスロットサイクルは、計算された、解除後に選択されたスロットサイクルインデックス（SLOT_CYCLE_INDEX_RELEASEs）の値‘１’を数式１に適用することにより１６×２1、即ち‘３２’となる。図３に図示されたように、移動体ターミナルは呼が連結される前にページングスロットであるそれぞれの６４スロットをモニタリングする。しかしながら、呼が解除された後、図５に図示されたように、移動体ターミナルは解除後動作時間情報（SLOT_CYCLE_RELEASE_TIMER）により決定された動作タイマーが満了する時までページングスロットである各３２スロットをモニタリングする。
【００８６】
図５は、解除後選択されたスロットサイクルインデックス値と解除後ページングスロットサイクル（paging_slot_cycle_release）を計算し、本発明により計算された値からモニタリングされるスロットを決定するプロセスを示す。ここで移動体ターミナルは、移動体ターミナルの電話番号を利用するハッシングにより決定されたページングスロット（ＰＧＳＬＯＴ）、好ましいスロットサイクルインデックス（SLOT_CYCLE_INDEXp）、解除後最小スロットサイクルインデックス（MIN_SLOT_CYCLE_INDEX_RELEASEs）、解除後最大スロットサイクルインデックス（MAX_SLOT_CYCLE_INDEX_RELEASEs）の値が各々６、３、−１、１である場合、スロットモードでページングを受信する場合、ページングスロットである各３２スロットをモニタリングする。 
【００８７】
ページングスロット（ＰＧＳＬＯＴ）の値は０乃至（Ｃ−１）の中の１つとして決定される。ここで、‘Ｃ’は数式３により決定されたページングスロットサイクルの値である。ページングスロットの数が０から２０４７が繰り返される際、図５に示されたページングスロットサイクルは、例えば３２であり、ページングスロット（ＰＧＳＬＯＴ）は６である。その結果、移動体ターミナルはスロット番号６、（６+３２）、（６+３２+３２）、（６+３２+３２+３２）などを順次にモニタリングする。
【００８８】
図６及び７は本発明に係る解除後ページングスロットサイクル（paging_slot_cycle_release）を決定するのに使われるパラメータを伝送するためのメッセージフォーマットを示す。図６は、解除順序（ＲＯ）、強化された解除順序（ＥＲＯ）、拡張された解除順序（ＥＲＭ）、または、拡張された解除ミニメッセージ（ＥＲＭＭ）に対する例示的なメッセージフォーマットを示す。図７は、解除順序（ＲＯ）、拡張された解除ミニメッセージ（ＥＲＭＭ）または拡張された解除応答ミニメッセージ（ＥＲＲＭＭ）に対する例示的なメッセージフォーマットを示す。他のメッセージも本発明の要旨から外れずに前述したパラメータを伝送するのに使することができる。
【００８９】
図６を参照すれば、本発明を支援するために、解除後スロットサイクルインデックス（SLOT_CYCLE_INDEX_RELEASE）及び解除後動作時間情報（SLOT_CYCLE_RELEASE_TIMER）の新しいフィールドとパラメータが、例示されたメッセージフォーマット（例えば、ＲＯ、ＥＲＯ、ＥＲＭ、ＥＲＭＭ）に付加される。移動体ターミナルの最小スロットサイクルインデックス（MIN_SLOT_CYCLE_INDEX_MS）フィールドは、図７でメッセージォーマットに含まれる。
【００９０】
以下、新しいパラメータの例が説明される。即ち、呼解除後に、解除後ページングスロットサイクル（paging_slot_cycle_release）を決定する際に使われる移動体ターミナルの最小スロットサイクルインデックス（MIN_SLOT_CYCLE_INDEX_MS）と解除後動作時間情報（SLOT_CYCLE_RELEASE_TIMER）は、基地局と移動体ターミナルとの間で伝送される。さらに、移動体ターミナルまたは基地局が通常スロットモードを使用する例が説明される。
【００９１】
図８−１３を参照する。本発明の移動体ターミナルは、最小スロットサイクル長さの基地局に、移動体ターミナルがそれ自体で現在支援できることを通知するために移動体ターミナル最小スロットサイクルインデックス（MIN_SLOT_CYCLE_INDEX_MS）を伝送する。基地局は解除後スロットサイクルインデックス（SLOT_CYCLE_INDEX_RELEASE）と解除後動作時間情報（SLOT_CYCLE_RELEASE_TIMER）を、対応する移動体ターミナルのページングスロットサイクルの長さが短くなるように設定するために、解除された呼を有する移動体ターミナルに伝送する。図１１−１３に示されたように、移動体ターミナル最小スロットサイクルインデックス（MIN_SLOT_CYCLE_INDEX_MS）は、解除後スロットサイクルインデックス（SLOT_CYCLE_INDEX_RELEASE）及び解除後動作時間情報（SLOT_CYCLE_RELEASE_TIMER）が伝送された後、基地局に伝送される。
【００９２】
次の説明において、数式５により計算された解除後選択スロットサイクルインデックス（SLOT_CYCLE_INDEX_RELEASEs）は‘減少されたスロットサイクルインデックス’と呼ばれる。減少されたスロットサイクルインデックスを用いて数式３により計算された、解除後ページングスロットサイクル（paging_slot_cycle_release）を活用するモードは‘減少されたスロットモード’と呼ばれる。
【００９３】
減少されたスロットモードで動作する移動体ターミナルは短くなったサイクルによりページングスロットをモニタリングする。
【００９４】
本発明の一実施形態において、動作タイマーが満了したり、または、通常スロットモード順序が使われれば、移動体ターミナルは減少されたスロットモードでの動作を停止し、その後、通常スロットモードで動作する。
【００９５】
通常スロットモードの間、移動体ターミナルは、最小及び最大スロットサイクルインデックス（MIN_SLOT_CYCLE_INDEX、MAX_SLOT_CYCLE_INDEX）の値を用いたページングスロットサイクル値を基地局に属する他の移動体ターミナルの値と同一であると決定し、一サイクルとして決定された値を用いてページングスロットをモニタリングする。
【００９６】
図８を参照すれば、移動体ターミナルはデータ呼が連結される際、基地局にあるいは基地局からデータを伝送または受信する。このようなデータまたは信号トラフィックは移動体ターミナルと基地局との間に形成されたトラフィックチャンネルを用いて送受信される。
【００９７】
図８を参照すれば、移動体ターミナルによる呼解除要求の場合、移動体ターミナルは好ましくは解除順序メッセージ（ＲＯ）を基地局に伝送して呼解除を要求する。この場合、移動体ターミナルは解除順序メッセージ（ＲＯ）に対して移動体ターミナルにより現在支援可能な最小スロットサイクルの長さを表すパラメータ（MIN_SLOT_CYCLE_INDEX_MS）を含み、その後、解除順序メッセージ（ＲＯ）基地局に伝送する（Ｓ１）。
【００９８】
移動体ターミナルから解除順序メッセージ（ＲＯ）を受信する際、基地局は移動体ターミナルに対する呼解除が許されるようにするために、対応する（または、応答）解除順序メッセージ（ＲＯ）を伝送する。この場合、基地局は移動体ターミナルに伝送された解除順序メッセージ（ＲＯ）内の解除後ページングスロットサイクル（paging_slot_cycle_release）と関連したパラメータを含む。このようなパラメータの中の１つは（SLOT_CYCLE_INDEX_RELEASE）フィールドを含む。
【００９９】
好ましくは、基地局は解除順序メッセージ（ＲＯ）に対する（SLOT_CYCLE_RELEASE_TIMER）を含み、これを移動体ターミナルに伝送する（Ｓ２）。即ち、基地局は解除後ページングスロットサイクル（paging_slot_cycle_release）を決定する際に使われる新しいパラメータ‘SLOT_CYCLE_INDEX_RELEASE’と、解除後ページングスロットサイクル（paging_slot_cycle_elease）を用いて動作時間を制限する際に使われる他の新しいパラメータ‘SLOT_CYCLE_INDEX_ELEASE_TIMER’とを解除順序メッセージ（ＲＯ）を通じて移動体ターミナルに伝送する。
【０１００】
基地局から解除順序メッセージ（ＲＯ）を受信した移動体ターミナルは、数式５に基づいて減少されたスロットサイクルインデックスを計算し、数式３において、‘ｉ’の値として計算された減少スロットサイクルインデックスを用いて解除後ページングスロットサイクル（paging_slot_cycle_release）を計算する。引き続き、移動体ターミナルは、減少されたスロットサイクルインデックスを用いて計算された解除後ページングスロットサイクル（paging_slot_cycle_release）を有するページングをモニタリングするための減少されたスロットモードで動作する。  
【０１０１】
一実施形態において、移動体ターミナルは解除後動作時間情報（SLOT_CYCLE_RELEASE_TIMER）により決定された動作タイマーが満了する時までスロットサイクルとして計算された解除後ページングスロットサイクル（paging_slot_cycle_release）を用いてページに対するページングスロットをモニタリングする。
【０１０２】
動作タイマーが後に満了すれば、移動体ターミナルは基地局で他の移動体ターミナルと同一の最小及び最大スロットサイクルインデックス（MIN_SLOT_CYCLE_INDEX、MAX_SLOT_CYCLE_INDEX）の値を用いてページングスロットサイクル値を決定し、ページング信号をモニタリングするために通常のスロットモードで動作する。移動体ターミナルは、例えば、一サイクルとして数式１及び２を用いて計算されたページングスロットサイクルでページングスロットをモニタリングする。
【０１０３】
図９は、通常スロットモードが移動体ターミナルにより要求され、減少されたスロットモードの満了前に開始する実施形態を図示する。減少されたスロットモードに入る手順は図８に示されたものと類似している。したがって以下では説明を省略する。
【０１０４】
図９によれば、基地局から解除順序メッセージ（ＲＯ）を受信した移動体ターミナルは、数式５を用いて減少されたスロットサイクルインデックスを計算し、その後、数式‘３’で‘ｉ’の値として計算された減少されたスロットサイクルインデックスを用いて解除後ページングスロットサイクル（paging_slot_cycle_release）を計算する。
【０１０５】
移動体ターミナルは、減少されたスロットサイクルインデックスを用いて計算された解除後ページングスロットサイクル（paging_slot_cycle_release）を有するページング信号をモニタリングするための減少されたスロットモードで動作する。移動体ターミナルが動作タイマーの満了の前に減少されたスロットモードの動作を停止させるために通常スロットモードを伝送すると、動作タイマーはディスエーブル（disable）され（Ｓ１２）、通常スロットモードは移動体ターミナル及び基地局によって始められる。
【０１０６】
通常、スロットモードの開始の際、移動体ターミナルは基地局内の他の移動体ターミナルと同一の最小及び最大スロットサイクルインデックス（MIN_SLOT_CYCLE_INDEX、MAX_SLOT_CYCLE_INDEX）の値を用いて計算されたページングスロットサイクルによりページングをモニタリングする。
【０１０７】
図１０は、通常スロットモードが基地局により要求され、減少スロットモードの満了前に開始する実施形態を図示する。減少スロットモードに入る手順は図８に図示された手順と類似しており、したがって、以下では説明を省略する。
【０１０８】
図１０によれば、基地局から解除順序メッセージ（ＲＯ）を受信した移動体ターミナルは、数式５を用いて減少されたスロットサイクルインデックスを計算し、その後、数式３で‘ｉ’の値として計算された減少されたスロットサイクルインデックスを用いて、解除後ページングスロットサイクル（paging_slot_cycle_release）を計算する。
【０１０９】
移動体ターミナルは、減少されたスロットサイクルインデックスを用いて計算された解除後ページングスロットサイクル（paging_slot_cycle_release）を有するページング信号をモニタリングするための減少されたスロットモードで動作する。基地局が動作タイマーの満了前に減少されたスロットモードの動作を停止させるために通常スロットモードを伝送すれば、動作タイマーはディスエーブルされ（Ｓ１２）、通常スロットモードが移動体ターミナルと基地局によって開始される。
【０１１０】
通常、スロットモードの開始の際、移動体ターミナルは基地局内の他の移動体ターミナルと同一の最小及び最大スロットサイクルインデックス（MIN_SLOT_CYCLE_INDEX、MAX_SLOT_CYCLE_INDEX）の値を用いて計算されたページングスロットサイクルによりページングをモニタリングする。
【０１１１】
図１１を参照すれば、基地局から呼解除要求の際、基地局は好ましくは、解除順序メッセージ（ＲＯ）、強化された解除順序メッセージ（ＥＲＯ）、拡張された解除メッセージ（ＥＲＭ）、拡張された解除ミニメッセージ（ＥＲＭＭ）のいずれか１つを伝送することにより呼解除を要求する。基地局は移動体ターミナルに伝送されたＲＯ、ＥＲＯ、ＥＲＭまたはＥＲＭＭメッセージ内の解除後ページングスロットサイクル（paging_slot_cycle_release）と関連したパラメータを含む。このようなパラメータの中の１つはフィールド（SLOT_CYCLE_INDEX_RELEASE）を含む。
【０１１２】
好ましくは、基地局はＲＯ、ＥＲＯ、ＥＲＭまたはＥＲＭＭメッセージに対する（SLOT_CYCLE_INDEX_RELEASE_TIMER）を含み、これを移動体ターミナルに伝送する（Ｓ３０）。即ち、基地局は解除後ページングスロットサイクル（paging_slot_cycle_release）を決定する際に使われる新しいパラメータ‘SLOT_CYCLE_INDEX_RELEASE’と、解除後ページングスロットサイクル（paging_slot_cycle_release）を用いて動作時間を制限する際に使われる他の新しいパラメータ‘SLOT_CYCLE_INDEX_RELEASE_TIMER’とを、ＲＯ、ＥＲＯ、ＥＲＭまたはＥＲＭＭメッセージによって移動体ターミナルに伝送する。
【０１１３】
呼解除を要求するメッセージ（ＲＯ、ＥＲＯ、ＥＲＭまたはＥＲＭＭの中の１つ）を受信すると、移動体ターミナルは、例えば呼解除を許すために、解除順序メッセージ（ＲＯ）、拡張された解除応答メッセージ（ＥＲＲＭ）、拡張された解除応答ミニメッセージ（ＥＲＲＭＭ）のいずれか１つを伝送する。移動体ターミナルは、好ましくは、呼解除を許すために使われるＲＯ、ＥＲＯ、ＥＲＭまたはＥＲＭＭのいずれか１つにおいて、移動体ターミナルにより現在支援可能な最小スロットサイクルの長さを表すパラメータ（MIN_SLOT_CYCLE_INDEX_MS）を含み、対応するメッセージを基地局に伝送する（Ｓ３１）。
【０１１４】
解除メッセージ（例えば、ＲＯ、ＥＲＭ、ＥＲＭＭの中の１つ）を伝送すると、移動体ターミナルは数式５を用いて減少されたスロットサイクルインデックスを計算し、その後、数式３で‘ｉ’の値として計算された減少スロットサイクルインデックスを用いて解除後ページングスロットサイクル（paging_slot_cycle_release）を計算する。一実施形態において、移動体ターミナルは、減少されたスロットサイクルインデックスを用いて計算された解除後ページングスロットサイクル（paging_slot_cycle_release）を有するページングをモニタリングするための減少されたスロットモードで動作する。移動体ターミナルは、解除後動作時間情報（SLOT_CYCLE_RELEASE_TIMER）により決定された動作タイマーが満了する時まで一サイクルとして計算された、解除後ページングスロットサイクル（paging_slot_cycle_release）によりページングスロットをモニタリングする。移動体ターミナルはページングを受信するためにページングスロットをモニタリングする。
【０１１５】
動作タイマーが後に満了すれば、移動体ターミナルは基地局で他の移動体ターミナルと同一の最小及び最大スロットサイクルインデックス（MIN_SLOT_CYCLE_INDEX、 MAX_SLOT_CYCLE_INDEX）の値を用いてページングスロットサイクル値を決定し、ページング信号をモニタリングするための通常のスロットモードで動作する。移動体ターミナルは、例えば、一サイクルとして数式１及び２を用いて計算されたページングスロットサイクルによりページングスロットをモニタリングする。
【０１１６】
図１２は、通常スロットモードが移動体ターミナルにより要求され、減少スロットモードの満了前に開始する実施形態を図示する。減少スロットモードに入る手順は図１１に示された手順と類似しており、したがって、以下では説明を省略する。
【０１１７】
図１２によれば、移動体ターミナルが呼解除を許すメッセージ（ＲＯ、ＥＲＲＭまたはＥＲＲＭＭの中の１つ）を伝送すると、移動体ターミナルは数式５を用いて減少されたスロットサイクルインデックスを計算して、その後、数式３で‘ｉ’の値として計算された減少されたスロットサイクルインデックスを用いて解除後ページングスロットサイクル（paging_slot_cycle_release）を計算する。
【０１１８】
移動体ターミナルは、減少されたスロットサイクルインデックスを用いて計算された解除後ページングスロットサイクル（paging_slot_cycle_release）を有するページングをモニタリングするための減少されたスロットモードで動作する。移動体ターミナルが、動作タイマーの満了の前に、減少されたスロットモードの動作を停止させるために通常のスロットモードを伝送するならば、動作タイマーはディスエーブル（disable）され（Ｓ４２）、移動体ターミナルと基地局は通常のスロットモード入る。
【０１１９】
通常のスロットモードへ入ると、移動体ターミナルは基地局内の他の移動体ターミナルと同一の最小及び最大スロットサイクルインデックス（MIN_SLOT_CYCLE_INDEX、MAX_SLOT_CYCLE_INDEX）の値を用いて計算されたページングスロットサイクルによりページングをモニタリングする。
【０１２０】
図１３は、通常スロットモードが基地局により要求され、減少スロットモードの満了前に開始する実施形態を図示する。減少スロットモードに入る手順は図１１に図示された手順と類似しており、したがって、以下では説明を省略する。  
【０１２１】
図１３によれば、移動体ターミナルが呼解除を許すメッセージ（ＲＯ、ＥＲＲＭまたはＥＲＲＭＭの中の１つ）を伝送すると（Ｓ５１）、移動体ターミナルは数式５を用いて減少されたスロットサイクルインデックスを計算し、その後、数式３で‘ｉ’の値として計算された減少されたスロットサイクルインデックスを用いて解除後ページングスロットサイクル（paging_slot_cycle_release）を計算する。
【０１２２】
移動体ターミナルは、減少されたスロットサイクルインデックスを用いて計算された解除後ページングスロットサイクル（paging_slot_cycle_release）を有するページングをモニタリングするための減少されたスロットモードで動作する。基地局が動作タイマーの満了前に減少されたスロットモードの動作を停止させるために通常スロットモードを伝送すると、動作タイマーはディスエーブルされ（Ｓ５２）、通常スロットモードが移動体ターミナル及び基地局により開始される。
【０１２３】
通常スロットモードに入ると、移動体ターミナルは基地局内の他の移動体ターミナルと同一の最小及び最大スロットサイクルインデックス（MIN_SLOT_CYCLE_INDEX、MAX_SLOT_CYCLE_INDEX）の値を用いて計算されたページングスロットサイクルによりページングをモニタリングする。
【０１２４】
図１４は減少されたページングスロットサイクルが８である例を図示する。例えば、好ましいスロットサイクルインデックス（SLOT_CYCLE_INDEXp）、最小スロットサイクルインデックス（MIN_SLOT_CYCLE_INDEXs）、最大スロットサイクルインデックス（MAX_SLOT_CYCLE_INDEXs）、基地局により提供された解除後スロットサイクルインデックス（SLOT_CYCLE_INDEX_RELEASE）、移動体ターミナル最小スロットサイクルインデックス（MIN_SLOT_CYCLE_INDEX_MS）の値が各々３、−１、２、−１、−３である場合、移動体ターミナルの呼が連結される前に使われるデフォルトのページングスロットサイクルを決定する際に使われる選択されたスロットサイクルインデックス（SLOT_CYCLE_INDEXs）は３、−１、２の値を挿入することにより、最大[２、最小（３、−１）]に基づいて‘２’となる。
【０１２５】
ページングスロットサイクルは計算された選択スロットサイクルインデックス（SLOT_CYCLE_INDEXs）の値‘２’を数式１の‘ｉ’に適用することにより、１６×２2、即ち‘６４’となる。 連結された呼が解除された後に使われた、解除後ページングスロットサイクル（paging_slot_cycle_release）を決定する際に使われる解除後選択されたスロットサイクルインデックス（SLOT_CYCLE_INDEX_RELEASEs）は、数式５で解除後スロットサイクルインデックス（SLOT_CYCLE_INDEX_RELEASE）と移動体ターミナル最小スロットサイクルインデックス（MIN_SLOT_CYCLE_INDEX_MS）の各値、−１及び−３を挿入することにより、最大[−１、−３]となる。
【０１２６】
ページングスロットサイクルは、計算された解除後選択されたスロットサイクルインデックス（SLOT_CYCLE_INDEX_RELEASEs）の値‘−１’を数式３の‘ｉ’に適用することにより、１６×２-1、即ち‘８’となる。図３に示されたように、移動体ターミナルは呼が解除される前にページングスロットである全ての６４スロットをモニタリングする。呼が解除された後、図１４に図示されたように、移動体ターミナルは解除後動作時間情報（SLOT_CYCLE_RELEASE_TIMER）により決定された動作タイマーが満了する時までページングスロットである全ての８スロットをモニタリングする。
【０１２７】
呼が解除された後、本発明がどのように実施されるかに関して記述したが、本発明は移動体ターミナルがアイドル状態にあるときにも使用することができる。言い換えると、減少されたスロットサイクルモードは、移動体ターミナルと基地局との間にトラフィックチャンネルが構築されていない時にも使用することができる。
【０１２８】
アイドルモード間、減少スロットサイクルモードは、基地局または移動体ターミナルいずれかにより初期化される。基地局が減少されたスロットサイクルモードに初期化される際、基地局は、フォワード共通シグナルリング論理チャンネル（forward common signaling logical channel）、好ましくは、スロットサイクルインデックス（SLOT_CYCLE_INDEX_RELEASE）と動作時間情報（SLOT_CYCLE_RELEASE_TIMER）を含むモード転移順序（ＭＴＯ）メッセージを利用することが好ましい。応答の際、好ましくは、反転共通シグナルリング論理チャンネルを利用する移動体ターミナルは移動体ターミナル最小スロットサイクルインデックス（MIN_SLOT_CYCLE_INDEX_MS）を基地局に伝送する。アイドルモード間、前述したパラメータを利用すれば、移動体ターミナルは図８−１３に関して前述した減少されたスロットサイクルモードに入る。
【０１２９】
これによって、本発明において、基地局は、ページングスロットサイクルの長さを移動体ターミナルの長さより短く設定するために、特定の移動体ターミナルに付加パラメータを提供する。それによって、呼解除移動体ターミナルが呼を再設定するためのページングを受信するための時間遅延が減少する。したがって、本発明は急速呼設定が可能になる。
【０１３０】
本発明は、基地局からページングをモニタリングするための減少されたスロットモードが全般的なシステム性能を改善するようにする。減少されたスロットモードでの動作が、減少されたスロットモードに対応する動作時間の満了前に不必要ならば、通常のスロットモード順序が基地局システムの性能を改善するのに使われる。
【０１３１】
図１５は、本発明の実施形態に係る例示的な移動体ターミナルまたは移動体ターミナル５００の様々な構成要素を示している。
【０１３２】
図１５を参照すれば、移動体ターミナル５００はプロセッサ（または、ディジタル信号プロセッサ）５１０、ＲＦモジュール５３５、電力管理モジュール５０５、アンテナ５４０、バッテリ５５５、ディスプレイ５１５、キーパッド５２０、メモリ５３０、ＳＩＭカード５２５（オプション）、スピーカー５４５、マイクロホン５５０を含む。
【０１３３】
ユーザはキーパッド５２０のボタンを押したりまたはマイクロホン５５０を用いて音声の活性化により、例えば電話番号のような指示情報を入力する。マイクロプロセッサ５１０は電話を掛けるときのような適切な機能を遂行するための指示情報を受信し、処理する。動作データが、この機能を遂行するためにＳＩＭ（Subscriber Identity Module）カード５２５またはメモリモジュール５３０から検索される。さらに、プロセッサ５１０はユーザの参照と便宜のためにディスプレイ５１５上に指示及び動作情報を表示する。プロセッサ５１０は通信を開始するために、例えば音声通信データを含む無線信号を伝送するために指示情報をＲＦ部５３５に渡す。ＲＦ部５３５は無線信号を受信し、伝送する受信器と伝送器を含む。アンテナ５４０は無線信号の伝送及び受信を容易にする。無線信号を受信すると、ＲＦモジュール５３５は信号を伝達し、プロセッサ５１０により処理するためのベースバンド周波数に変換する。処理された信号は、例えば、スピーカー５４５を通じて出力される可聴可能なまたは読取可能な情報に変換される。本技術分野の熟練者には本発明の実施形態が、例えばプロセッサ５１０または他のデータやディジタル処理装置を単独にまたは外部支援ロジックと結合して利用することで、容易に実現できることが分るはずである。好ましい実施形態を、ソフトウェア、ファームウエア、ハードウェアまたはこれらの任意の組合せを生成するための標準プログラミング及び／またはエンジニアリング技術を利用する方法、装置または製品として具体化することができる。以下、使われる“製品”とは、ハードウェアロジック（例えば、集積回路チップ、ＦＰＧＡ（Field Programmable Gate Array）、ＡＳＩＣ（Application Specific Integrated Circuit）等）またはコンピュータ読取可能な媒体（例えば、磁気格納媒体（例えば、ハードディスクドライブ、フロッピー（登録商標）ディスク、テープ等）、光ストレージ（ＣＤ−ＲＯＭ、光ディスク等）、揮発性及び非揮発性メモリ素子（例えば、ＥＥＰＲＯＭ、ＲＯＭ、ＰＲＯＭ、ＲＡＭ、ＤＲＡＭ、ＳＲＡＭ、ファームウエア、プログラム可能なロジック等）において実装されたコードまたはロジックをいう。コンピュータ読取可能な媒体でのコードはプロセッサによりアクセス及び実行される。好ましい実施形態が実装されたコードは伝送媒体を通じて、または、ネットワークを経由したファイルサーバーから更にアクセス可能である。この場合、コードが実装された製品は、例えば、ネットワーク伝送ライン、無線伝送媒体、空間を通じた信号電波、無線波、赤外線信号などを含む。勿論、本技術分野の熟練者はこのような構成で多数の主張が本発明の範囲から外れずに、公知の媒体が本技術分野で公開された所定の情報を含むことが分るはずである。
【０１３４】
本技術分野の熟練者には本発明で各種修正が可能であることが自明である。したがって、本発明は特許請求範囲及びこれらの均等物の範囲内の本発明の修正及び変動をカバーする。
【図面の簡単な説明】
【０１３５】
【図１】無線通信ネットワークアキテクチャーを示す図である。
【図２】無線ネットワーク用データリンクプロトコルアーキテクチャーを示す図である。
【図３】正規ページングスロットサイクルに基づいた特定スロットのモニタリング及びページングスロットサイクルを図示するスロット時間ラインの例示図である。
【図４】本発明の一実施形態に係る解除後ページングスロットサイクル（paging_slot_cycle_release）の決定時に使われるパラメータを伝送するためのメッセージフォーマットを示す図である。
【図５】本発明の一実施形態に係る減少されたページングスロットサイクルに基づいた特定スロットのモニタリング及び解除後ページングスロットサイクル（paging_slot_cycle_release）値を図示するスロット時間ラインを示す図である。
【図６】本発明の他の実施形態に係る解除後ページングスロットサイクル（paging_slot_cycle_release）を決定するための解除後スロットサイクルパラメータを提供するためのネットワークから移動体ターミナルへの例示的なメッセージを示す図である。
【図７】移動体ターミナルによる支援可能な受容能力に基づいた、解除後スロットサイクルパラメータを提供するための移動体ターミナルからネットワークへの例示的なメッセージフォーマットを示す図である。
【図８】本発明のいろいろな実施形態に係る急速呼設定手順を示す図である。
【図９】本発明のいろいろな実施形態に係る急速呼設定手順を示す図である。
【図１０】本発明のいろいろな実施形態に係る急速呼設定手順を示す図である。
【図１１】本発明のいろいろな実施形態に係る急速呼設定手順を示す図である。
【図１２】本発明のいろいろな実施形態に係る急速呼設定手順を示す図である。
【図１３】本発明のいろいろな実施形態に係る急速呼設定手順を示す図である。
【図１４】本発明の一実施形態に係るモニタリングされるスロットを決定するプロセスを示す図である。
【図１５】本発明の実施形態に係る例示的な移動体ターミナルまたは移動体ターミナルの各種構成要素を示す図である。
【符号の説明】
【０１３６】
５００    移動体ターミナル、５０５    電力管理モジュール、５１０    プロセッサ、５１５    ディスプレイ、５２０    キーパッド、５２５    ＳＩＭカード、５３０    メモリ、５３５    ＲＦモジュール、５４０    アンテナ、５４５    スピーカー、５５０    マイクロホン、５５５    バッテリ
【図１】
2007527143.tif 000003
【図２】
2007527143.tif 000004
【図３】
2007527143.tif 000005
【図４】
2007527143.tif 000006
【図５】
2007527143.tif 000007
【図６】
2007527143.tif 000008
【図７】
2007527143.tif 000009
【図８】
2007527143.tif 000010
【図９】
2007527143.tif 000011
【図１０】
2007527143.tif 000012
【図１１】
2007527143.tif 000013
【図１２】
2007527143.tif 000014
【図１３】
2007527143.tif 000015
【図１４】
2007527143.tif 000016
【図１５】
2007527143.tif 000017
【国際調査報告】
2007527143.tif 000018
2007527143.tif 000019
2007527143.tif 000020